(57)【要約】【課題】使用可能なＬＥＤが無駄に交換されるのを抑制する。【解決手段】本画像照明装置は、原稿に光を照射する光源部と、これに電力を伝送する伝送ラインとを備えており、光源部は、少なくとも１個の発光素子４０１をそれぞれ有する互いに別個の複数の光照射体４０２を共通給電基板４０５に対して着脱可能に構成されている。これにより、寿命や故障などにより点灯しなくなった発光素子があったとしても、その発光素子が配置された光照射体のみを交換することができる。【選択図】図１１
2008299195.tif 000002
【特許請求の範囲】
【請求項１】
画像読取対象物に光を照射する光源部と、
該光源部に電力を伝送する伝送ラインとを備えた画像照明装置において、
上記光源部は、少なくとも１個の発光素子をそれぞれ有する互いに別個の複数の光照射体と、該複数の光照射体を着脱可能に保持する共通給電基板とを備えており、
該共通給電基板は、上記伝送ラインから供給される電力を該複数の光照射体それぞれに供給するための給電端子を該複数の光照射体ごとに個別に備えており、各給電端子を介して該複数の光照射体に対して電力を供給することを特徴とする画像照明装置。
【請求項２】
請求項１の画像照明装置において、
上記共通給電基板は、上記複数の光照射体の被保持部をそれぞれ保持する複数の保持ソケットを備えており、
各光照射体の被保持部は、上記給電端子からの給電を受ける被給電端子を備えており、
該複数の保持ソケットは、これに装着される光照射体の被保持部に備わった被給電端子に対応する箇所に上記給電端子を備えていることを特徴とする画像照明装置。
【請求項３】
請求項２の画像照明装置において、
上記複数の光照射体は、２個以上の発光素子をそれぞれ有しており、
該複数の光照射体それぞれに設けられるｎ個（ｎ≧２）の発光素子は、等間隔であってかついずれの光照射体も同じ間隔Ｐで配置されており、
上記共通給電基板が備える上記複数の保持ソケットは、等間隔に配置されており、その配置間隔Ｒが（ｎ＋１）×Ｐと等しくなるように設定されていることを特徴とする画像照明装置。
【請求項４】
請求項１乃至３のいずれか１項に記載の画像照明装置において、
上記複数の光照射体それぞれの形状寸法が互いに同一であり、
該複数の光照射体それぞれが有する発光素子の数が互いに同一であることを特徴とする画像照明装置。
【請求項５】
請求項４の画像照明装置において、
上記光源部に設けられるすべての発光素子の発光輝度が同一または略同一であることを特徴とする画像照明装置。
【請求項６】
請求項１乃至５のいずれか１項に記載の画像照明装置において、
上記共通給電基板は、互いに隣接する光照射体の間に隙間が空くように、上記複数の光照射体を保持することを特徴とする画像照明装置。
【請求項７】
請求項１乃至６のいずれか１項に記載の画像照明装置において、
上記共通給電基板は、上記複数の光照射体それぞれに対する電力供給を個別に制御可能な構成となっていることを特徴とする画像照明装置。
【請求項８】
画像読取対象物に光を照射する画像照明装置と、該画像読取対象物で反射した反射光を受光して該画像読取対象物を撮像する撮像手段とを備えた画像読取装置において、
上記画像照明装置として、請求項１乃至７のいずれか１項に記載の画像照明装置を用いたことを特徴とする画像読取装置。
【請求項９】
請求項８の画像読取装置において、
上記画像読取対象物の画像読取面が対向するように該画像読取対象物が載置されるガラス部材と、
少なくとも上記画像照明装置を有し、該ガラス部材を挟んで該画像読取対象物とは反対側を該ガラス部材の載置面に沿って移動可能な走行体と、
画像読取動作時以外に該走行体を該ガラス部材との対向位置に移動させて該画像照明装置の少なくとも一部の発光素子を点灯させる検査モードを有する制御部とを備えることを特徴とする画像読取装置。
【請求項１０】
請求項９の画像読取装置において、
上記制御部は、上記検査モードで動作するとき、上記少なくとも一部の発光素子の発光出力が画像読取動作時の発光出力よりも低くなるように制御することを特徴とする画像読取装置。
【請求項１１】
請求項９又は１０の画像読取装置において、
上記検査モードの実行の指示を入力する入力部を備えることを特徴とする画像読取装置。
【請求項１２】
画像読取対象物から画像に関する情報を読み取る画像読取手段と、
該画像読取手段が読み取った該情報に基づいて画像を形成する画像形成手段とを備えた画像形成装置において、
該画像読取手段として、請求項８乃至１１のいずれか１項に記載の画像読取装置を用いることを特徴とする画像形成装置。
【発明の詳細な説明】
【技術分野】
【０００１】
本発明は、画像が記録された原稿に光を照射して得た光学像を読み取るスキャナ部等の画像読取装置に用いられる画像照明装置及び画像読取装置、並びに、その画像読取装置を備えた複写機やファクシミリ等の画像形成装置に関するものである。
【背景技術】
【０００２】
従来、画像読取装置の画像照明装置において、その光源としてキセノンランプが用いられているが、キセノンランプは消費電力が大きく発熱量も多いため、近年の省エネルギー化や画像読取装置の長寿命化等の要求に十分に応えることができない。そのため、キセノンランプよりも、消費電力が小さく発熱量が小さいＬＥＤ（Ｌｉｇｈｔ  Ｅｍｉｔｔｉｎｇ  Ｄｉｏｄｅ）を光源として用いた画像読取装置が提案されている。例えば、特許文献１に記載の画像読取装置では、図１４に示すように一つの基板上に光源となるすべてのＬＥＤをアレイ状に列設して、各々のＬＥＤを上記基板上に実装している。
【０００３】
【特許文献１】特開２００６−２５３０３号公報
【発明の開示】
【発明が解決しようとする課題】
【０００４】
ところが、上記特許文献１に記載の画像読取装置のように、一つの基板上に光源となるすべてのＬＥＤを実装した構成では、基板上に設置したＬＥＤが寿命や故障などで一個でも点灯しなくなってしまうと、基板ごと、つまり、使用可能なＬＥＤも含めてすべてのＬＥＤを交換することになる。そのため、まだ使用可能なＬＥＤまでもが交換されてしまい、無駄が発生してしまう。
【０００５】
本発明は、以上の問題に鑑みなされたものであり、その目的とするところは、使用可能なＬＥＤが無駄に交換されるのを抑制できる画像照明装置、画像読取装置及び画像形成装置を提供することである。
【課題を解決するための手段】
【０００６】
上記目的を達成するために、請求項１の発明は、画像読取対象物に光を照射する光源部と、該光源部に電力を伝送する伝送ラインとを備えた画像照明装置において、上記光源部は、少なくとも１個の発光素子をそれぞれ有する互いに別個の複数の光照射体と、該複数の光照射体を着脱可能に保持する共通給電基板とを備えており、該共通給電基板は、上記伝送ラインから供給される電力を該複数の光照射体それぞれに供給するための給電端子を該複数の光照射体ごとに個別に備えており、各給電端子を介して該複数の光照射体に対して電力を供給することを特徴とするものである。
また、請求項２の発明は、請求項１の画像照明装置において、上記共通給電基板は、上記複数の光照射体の被保持部をそれぞれ保持する複数の保持ソケットを備えており、各光照射体の被保持部は、上記給電端子からの給電を受ける被給電端子を備えており、該複数の保持ソケットは、これに装着される光照射体の被保持部に備わった被給電端子に対応する箇所に上記給電端子を備えていることを特徴とするものである。
また、請求項３の発明は、請求項２の画像照明装置において、上記複数の光照射体は、２個以上の発光素子をそれぞれ有しており、該複数の光照射体それぞれに設けられるｎ個（ｎ≧２）の発光素子は、等間隔であってかついずれの光照射体も同じ間隔Ｐで配置されており、上記共通給電基板が備える上記複数の保持ソケットは、等間隔に配置されており、その配置間隔Ｒが（ｎ＋１）×Ｐと等しくなるように設定されていることを特徴とするものである。
また、請求項４の発明は、請求項１乃至３のいずれか１項に記載の画像照明装置において、
上記複数の光照射体それぞれの形状寸法が互いに同一であり、該複数の光照射体それぞれが有する発光素子の数が互いに同一であることを特徴とするものである。
また、請求項５の発明は、請求項４の画像照明装置において、上記光源部に設けられるすべての発光素子の発光輝度が同一または略同一であることを特徴とするものである。
また、請求項６の発明は、請求項１乃至５のいずれか１項に記載の画像照明装置において、上記共通給電基板は、互いに隣接する光照射体の間に隙間が空くように、上記複数の光照射体を保持することを特徴とするものである。
また、請求項７の発明は、請求項１乃至６のいずれか１項に記載の画像照明装置において、上記共通給電基板は、上記複数の光照射体それぞれに対する電力供給を個別に制御可能な構成となっていることを特徴とするものである。
また、請求項８の発明は、画像読取対象物に光を照射する画像照明装置と、該画像読取対象物で反射した反射光を受光して該画像読取対象物を撮像する撮像手段とを備えた画像読取装置において、上記画像照明装置として、請求項１乃至７のいずれか１項に記載の画像照明装置を用いたことを特徴とするものである。
また、請求項９の発明は、請求項８の画像読取装置において、上記画像読取対象物の画像読取面が対向するように該画像読取対象物が載置されるガラス部材と、少なくとも上記画像照明装置を有し、該ガラス部材を挟んで該画像読取対象物とは反対側を該ガラス部材の載置面に沿って移動可能な走行体と、画像読取動作時以外に該走行体を該ガラス部材との対向位置に移動させて該画像照明装置の少なくとも一部の発光素子を点灯させる検査モードを有する制御部とを備えることを特徴とするものである。
また、請求項１０の発明は、請求項９の画像読取装置において、上記制御部は、上記検査モードで動作するとき、上記少なくとも一部の発光素子の発光出力が画像読取動作時の発光出力よりも低くなるように制御することを特徴とするものである。
また、請求項１１の発明は、請求項９又は１０の画像読取装置において、上記検査モードの実行の指示を入力する入力部を備えることを特徴とするものである。
また、請求項１２の発明は、画像読取対象物から画像に関する情報を読み取る画像読取手段と、該画像読取手段が読み取った該情報に基づいて画像を形成する画像形成手段とを備えた画像形成装置において、該画像読取手段として、請求項８乃至１１のいずれか１項に記載の画像読取装置を用いることを特徴とするものである。
【０００７】
本発明においては、画像照明装置の光源部が、少なくとも１個の発光素子をそれぞれ有する互いに別個の複数の光照射体を共通給電基板に対して着脱可能に構成したものなので、寿命や故障などにより点灯しなくなった発光素子があったとしても、その発光素子が配置された光照射体のみを交換することができる。よって、点灯しなくなった発光素子を交換する際に、１つの基板上に光源となるすべての発光素子を実装した従来の構成に比べて、まだ使用可能な発光素子が無駄に交換されるのを抑制することができる。
【発明の効果】
【０００８】
以上、本発明によれば、まだ使用可能なＬＥＤが無駄に交換されるのを抑制できるという優れた効果がある。
【発明を実施するための最良の形態】
【０００９】
以下、本発明を、電子写真方式の画像形成装置である複写機に適用した一実施形態について説明する。
まず、本実施形態に係る複写機の基本的な構成について説明する。
図１は、本複写機を示す概略構成図である。
この複写機は、画像形成部１と、白紙供給装置４０と、原稿搬送読取ユニット５０とを備えている。原稿搬送読取ユニット５０は、画像形成部１の上に固定された画像読取装置としてのスキャナ部１５０と、これに支持される原稿搬送装置としてのＡＤＦ５１とから構成される。
【００１０】
白紙供給装置４０は、ペーパーバンク４１内に多段に配設された２つの給紙カセット４２、給紙カセット４２から記録材としての記録紙を送り出す送出ローラ４３、送り出された記録紙を分離して給紙路４４に供給する分離ローラ４５等を有している。また、複写機の給紙路３７に記録紙を搬送する複数の搬送ローラ４６等も有している。そして、給紙カセット４２内の記録紙を複写機内の給紙路３７内に給紙する。
【００１１】
複写機は、光書込装置２や、Ｋ（黒）色、Ｙ（イエロー）色、Ｍ（マゼンタ）色、Ｃ（シアン）色のトナー像を形成する４つのプロセスユニット３Ｋ，３Ｙ，３Ｍ，３Ｃ、転写ユニット２４、紙搬送ユニット２８、レジストローラ対３３、定着装置３４、スイッチバック装置３６、給紙路３７等を備えている。そして、光書込装置２内に配設された図示しないレーザーダイオードやＬＥＤ等の光源を駆動して、プロセスユニット３Ｋ，３Ｙ，３Ｍ，３Ｃの感光体４Ｋ，４Ｙ，４Ｍ，４Ｃに向けてレーザー光Ｌを照射する。この照射により、ドラム状の感光体４Ｋ，４Ｙ，４Ｍ，４Ｃの表面には静電潜像が形成され、この潜像は所定の現像プロセスを経由してトナー像に現像される。なお、符号の後に付されたＫ、Ｙ、Ｍ、Ｃという添字は、黒、イエロー、マゼンタ、シアン用のものであることを示している。
【００１２】
図２は、複写機の内部構成の一部を拡大して示す部分拡大構成図である。
同図において、プロセスユニット３Ｋ，３Ｙ，３Ｍ，３Ｃは、それぞれ、感光体とその周囲に配設される各種装置とを１つのユニットとして共通の支持体に支持するものであり、複写機本体に対して着脱可能になっている。ブラック用のプロセスユニット３Ｋを例にすると、これは、感光体４Ｋの他、これの表面に形成された静電潜像をブラックトナー像に現像するための現像装置６Ｋを有している。また、後述するＫ用の１次転写ニップを通過した後の感光体４Ｋ表面に付着している転写残トナーをクリーニングするドラムクリーニング装置１５Ｋなども有している。本複写機では、４つのプロセスユニット３Ｋ，３Ｙ，３Ｍ，３Ｃを、後述する中間転写ベルト２５に対してその無端移動方向に沿って並べるように対向配設したいわゆるタンデム型の構成になっている。
【００１３】
図３は、４つのプロセスユニット３Ｋ，３Ｙ，３Ｍ，３Ｃからなるタンデム部の一部を示す部分拡大図である。
４つのプロセスユニット３Ｋ，３Ｙ，３Ｍ，３Ｃは、それぞれ使用するトナーの色が異なる他は同様の構成になっているので、同図においては各符号に付すＫ、Ｙ、Ｍ、Ｃという添字を省略している。同図に示すように、プロセスユニット３は、感光体４の周りに、帯電装置２３、現像装置６、ドラムクリーニング装置１５、除電ランプ２１等を有している。
【００１４】
感光体４としては、アルミニウム等の素管に、感光性を有する有機感光材の塗布による感光層を形成したドラム状のものを用いている。但し、無端ベルト状のものを用いても良い。
【００１５】
現像装置６は、図示しない磁性キャリアと非磁性トナーとを含有する二成分現像剤を用いて潜像を現像するようになっている。そして、内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサ１０などを有している。現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、スリーブの回転方向に沿って並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００１６】
この磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００１７】
ドラムクリーニング装置１５としては、ポリウレタンゴム製のクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置に受け渡す。リサイクル搬送装置は、受け渡されたトナーを現像装置６に送ってリサイクルする。
【００１８】
除電ランプ２１は、光照射によって感光体４を除電する。除電された感光体４の表面は、帯電装置５によって一様に帯電せしめられた後、光書込装置２による光書込処理がなされる。なお、帯電装置５としては、帯電バイアスが印加される帯電ローラを感光体４に当接させながら回転させるものを用いている。感光体４に対して非接触で帯電処理を行うスコロトロンチャージャ等を用いてもよい。
【００１９】
先に示した図２において、４つのプロセスユニット３Ｋ，３Ｙ，３Ｍ，３Ｃの感光体４Ｋ，４Ｙ，４Ｍ，４Ｃには、これまで説明してきたプロセスによってＫ色、Ｙ色、Ｍ色、Ｃ色のトナー像が形成される。
【００２０】
４つのプロセスユニット３Ｋ，３Ｙ，３Ｍ，３Ｃの下方には、転写ユニット２４が配設されている。この転写ユニット２４は、複数のローラによって張架した中間転写ベルト２５を、感光体４Ｋ，４Ｙ，４Ｍ，４Ｃに当接させながら図中時計回り方向に無端移動させる。これにより、感光体４Ｋ，４Ｙ，４Ｍ，４Ｃと中間転写ベルト２５とが当接するＫ、Ｙ、Ｍ、Ｃ用の１次転写ニップが形成されている。Ｋ、Ｙ、Ｍ、Ｃ用の１次転写ニップの近傍では、ベルトループ内側に配設された１次転写ローラ２６Ｋ，２６Ｙ，２６Ｍ，２６Ｃによって中間転写ベルト２５を感光体４Ｋ，４Ｙ，４Ｍ，４Ｃに向けて押圧している。これら１次転写ローラ２６Ｋ，２６Ｙ，２６Ｍ，２６Ｃには、それぞれ図示しない電源によって１次転写バイアスが印加されている。これにより、Ｋ、Ｙ、Ｍ、Ｃ用の１次転写ニップには、感光体４Ｋ，４Ｙ，４Ｍ，４Ｃ上のトナー像を中間転写ベルト２５に向けて静電移動させる１次転写電界が形成されている。図中時計回り方向の無端移動に伴ってＫ、Ｙ、Ｍ、Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下「４色トナー像」という。）が形成される。
【００２１】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００２２】
この２次転写ニップの図中右側方には、レジストローラ対３３が配設されており、ローラ間に挟み込んだ記録紙を中間転写ベルト２５上の４色トナー像に同期させ得るタイミングで２次転写ニップに送り出す。２次転写ニップ内では、中間転写ベルト２５上の４色トナー像が２次転写電界やニップ圧の影響によって記録紙に一括２次転写され、記録紙の白色と相まってフルカラー画像となる。２次転写ニップを通過した記録紙は、中間転写ベルト２５から離間して、紙搬送ベルト２９のおもて面に保持されながら、その無端移動に伴って定着装置３４へと搬送される。
【００２３】
２次転写ニップを通過した中間転写ベルト２５の表面には、２次転写ニップで記録紙に転写されなかった転写残トナーが付着している。この転写残トナーは、中間転写ベルト２５に当接するベルトクリーニング装置によって掻き取り除去される。
【００２４】
定着装置３４に搬送された記録紙は、定着装置３４内における加圧や加熱によってフルカラー画像が定着させしめられた後、定着装置３４から排紙ローラ対３５に送られた後、機外へと排出される。
【００２５】
先に示した図１において、紙搬送ユニット２２および定着装置３４の下には、スイッチバック装置３６が配設されている。これにより、片面に対する画像定着処理を終えた記録紙が、切換爪で記録紙の進路を記録紙反転装置側に切り換えられ、そこで反転されて再び２次転写転写ニップに進入する。そして、もう片面にも画像の２次転写処理と定着処理とが施された後、排紙トレイ上に排紙される。
【００２６】
複写機の上に固定されたスキャナ部１５０は、図１に示すように、固定読取部１５１と、移動読取部１５２とを有している。光源、反射ミラー、ＣＣＤなどを有する固定読取部１５１は、原稿ＭＳに接触するようにスキャナ部１５０のケーシング上壁に固定された図示しない第１コンタクトガラスの直下に配設されている。そして、ＡＤＦ５１によって搬送される原稿ＭＳが第１コンタクトガラス上を通過する際に、光源から発した光を原稿面で順次反射させながら、複数の反射ミラーを経由させて撮像手段としてのＣＣＤ２２１で受光する。これにより、光源や反射ミラー等からなる光学系を移動させることなく、原稿ＭＳを読み取る。なお、以下、ＡＤＦ５１による原稿搬送を行いながら固定読取部１５１によって原稿ＭＳの画像を読み取る制御を、スルー読取制御という。
【００２７】
一方、移動読取部１５２は、原稿ＭＳに接触するようにスキャナ部１５０のケーシング上壁に固定された図示しない第２コンタクトガラスの直下であって、固定読取部１５１の図中右側方に配設されており、光源や、反射ミラーなどからなる移動光学系を図中左右方向に移動させることができる。そして、移動光学系を図中左側から右側に移動させていく過程で、光源から発した光を第２コンタクトガラス上に載置された図示しない原稿ＭＳで反射させる。この反射によって得られた光学像は、複数の反射ミラーと、スキャナ部本体に固定された結像レンズとを経由した後、撮像手段としてのＣＣＤ２２１によって読み取られる。このように、移動読取部１５２は、移動光学系を移動させながら、第２コンタクトガラス上で静止している原稿ＭＳの画像を読み取る。
【００２８】
スキャナ部１５０の上に配設されたＡＤＦ５１は、本体カバー５２に、読取前の原稿ＭＳを載置するための原稿載置台５３、原稿ＭＳを搬送するための搬送ユニット５４、読取後の原稿ＭＳをスタックするための原稿スタック台５５などを保持している。図４に示すように、スキャナ部１５０に固定された蝶番１５９によって上下方向に揺動可能に支持されている。そして、その揺動によって開閉扉のような動きをとり、開かれた状態でスキャナ部１５０の上面の第１コンタクトガラス１５４や第２コンタクトガラス１５５を露出させる。原稿束の片隅を綴じた本などの片綴じ原稿の場合には、原稿ＭＳを１枚ずつ分離することができないため、ＡＤＦ５１による搬送を行うことができない。そこで、片綴じ原稿の場合には、ＡＤＦ５１を図４に示すように開いた後、読み取らせたいページが見開かれた片綴じ原稿を下向きにして第２コンタクトガラス１５５上に載せた後、ＡＤＦ５１を閉じる。そして、図１に示したスキャナ部１５０の移動読取部１５２によってそのページの画像を読み取らせる。
【００２９】
一方、互いに独立した複数の原稿ＭＳを単に積み重ねた原稿束の場合には、その原稿ＭＳをＡＤＦ５１によって１枚ずつ自動搬送しながら、スキャナ部１５０の固定読取部１５１に順次読み取らせていくことができる。この場合、原稿束を原稿載置台５３上にセットした後、操作部１４０のコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させた直後にスキャナ部１５０の固定読取部１５１の真上に通す。このとき、原稿ＭＳの画像がスキャナ部１５０の固定読取部１５１によって読み取られる。
【００３０】
次に、スキャナ部１５０のうち、移動読取部について、図５、図６を用いて説明する。
図５は、スキャナ部１５０の移動読取部（図１の符号１５２）を斜め上方から示した斜視図である。なお、便宜上、上述の第２コンタクトガラス１５５の図示を省略している。
図６は、スキャナ部１５０の移動読取部をその側方から示す拡大構成図である。
図に示すように、スキャナ部１５０の筐体１６０内には、走行体としての第１キャリッジ１６２、第２キャリッジ１６３が設けられている。第１キャリッジ１６２は、複数の発光素子たる発光ダイオード（以下「ＬＥＤ」という。）４０１がアレイ状に配列された画像照明装置を構成する光源部１９０と、第１ミラー１６２ｂとを備えている。なお、第１キャリッジ１６２の詳細については、後述する。第２キャリッジ１６３は、第２ミラー１６３ａと、第３ミラー１６３ｂとを備えている。
【００３１】
スキャナ部１５０の筐体１６０内には、図示しないが、その長手方向に延在する２本の金属製の第１レールが短手方向に所定の間隔をあけて固定されており、２本の第１レールの間に、第１キャリッジ１６２が架け渡されており、第１レール上でその長手方向に沿って走行できるようになっている。これら第１レールよりも鉛直方向の下方には、筐体長手方向に延在する図示しない２本の金属製の第２レールが筐体短手方向に所定の間隔をあけて固定されている。図示しない２本の第２レールの間には、第２キャリッジ１６３が架け渡されており、第２レール上でその長手方向に沿って走行できるようになっている。また、筐体１６０には、金属製の梁板１６４が固定されており、金属製の梁板１６４には、その上面にネジ固定された結像レンズ２００を備えたレンズユニット２１０や、これに固定されたＣＣＤ２２１を備えた電子回路基板たるスキャナ部ボードユニット（以下「ＳＢＵ」という。）２２０を支持している。
【００３２】
図５に示すように、図中右上には、駆動モータ１７０が設けられており、駆動モータ１７０の駆動ギヤと噛み合う従動ギヤ１７１の回転軸には、駆動タイミングプーリ１７２が固定されている。また、図中右側の筐体内の長手方向一端部には、回転軸１７３が回転可能に支持されている。回転軸１７３の一端部には、従動タイミングプーリ１７４が固定され、駆動タイミングプーリ１７２と従動タイミングプーリ１７４とに駆動タイミングベルト１７５が張架されている。また、回転軸１７３の両端部付近には、第１プーリ１８０が固定されている。そして、図中左側の筐体内の長手方向他端部の短手方向に所定の間隔を開けて２個の第２プーリ１８１が回転可能に支持されており、第１プーリ１８０と第２プーリ１８１とに第１タイミングベルト１８２が張架されている。
【００３３】
第２キャリッジ１６３は、第２ミラー１６３ａ、第３ミラー１６３ｂの主走査方向両端を支持する一対のミラーステー部１６３ｃと、このミラーステー部１６３ｃからそれぞれ第１キャリッジ側に延びるアーム部１６３ｄとを有している。また、ミラーステー部１６３ｃの筐体側面側には、第３プーリ１８３が回転可能に支持されている。また、アーム部１６３ｄの先端にはブラケット１６３ｅが設けられており、このブラケット１６３ｅに第４プーリ１８４が回転可能に支持されている。第３プーリ１８３、第４プーリ１８４には、第２タイミングベルト１８５が張架されており、この第２タイミングベルト１８５の一部は、図示しない固定部材によって筐体１６０の底部に固定されている。
【００３４】
また、第１タイミングベルト１８２、第２タイミングベルト１８５は、第１キャリッジ１６２の底部にそれぞれ固定されている。
【００３５】
画像読取がスタートすると、光源部１９０によって図示しない原稿ＭＳに対して光を照射する。また、駆動モータ１７０が駆動して、駆動モータ１７０の回転駆動力が、駆動タイミングベルト１７５を介して回転軸１７３に伝達され、回転軸１７３が回転する。回転軸１７３が回転することで、第１タイミングベルト１８２が図中時計回りに回転する。これにより、第１タイミングベルト１８２に固定されている第１キャリッジ１６２が図中左側から右側へ移動する。また、第１キャリッジ１６２が移動すると、第１キャリッジ１６２に固定された第２タイミングベルト１８５が、図中右側へ移動する。第２タイミングベルト１８５の一部は、筐体１６０の底部に固定されているため、第２タイミングベルト１８５は、その場で回転するのではなく、第２キャリッジ１６３の図中右側への移動を伴いながら回転する。ここで、第３、第４プーリ１８３、１８４の径は、第１、第２プーリの径の２倍となっているため、第２キャリッジ１６３は、第１キャリッジ１６２の１／２の速度で、図中右側へ移動する。このように、第２キャリッジ１６３は、第１キャリッジ１６２の半分の速度で第１キャリッジと同方向へ移動することで、原稿面から結像レンズ２００までの光束の光路長が変化しないようになっている。
【００３６】
駆動モータ１７０を制御する制御部は、ホストコンピュータから送られてくる１ライン毎の画像読取要求信号に応じて駆動モータ１７０を制御して、第２キャリッジ１６３と第１キャリッジ１６２との移動速度を制御している。
【００３７】
第１、第２キャリッジ１６２，１６３を図中左側から右側に２：１の速度比で移動させていく過程で、光源部１９０から発した光を第２コンタクトガラス１５５上に載置された図示しない原稿ＭＳで反射させる。この反射によって得られた光学像は、第１ミラー１６２ｂ、第２ミラー１６３ａ、第３ミラー１６３ｃを介して、結像レンズ２００に導かれ、ＣＣＤ２２１上に結像される。
【００３８】
ＣＣＤ２２１は、結像された原稿ＭＳの反射光像を光電変換して読取画像であるアナログ画像信号を出力する。そして、第１、第２キャリッジ１６２、１６３が図６の点線に示す位置まで移動したら、原稿ＭＳの読み取りを終了し、第１キャリッジ１６２と第２キャリッジ１６３は図中実線で示すホームポジション位置に復動する。なお、ＣＣＤ２２１から出力されたアナログ画像信号は、アナログ／デジタル変換器によりデジタル画像信号に変換され、画像処理回路を搭載した回路基板において、各々の画像処理（２値化、多値化、階調処理、変倍処理、編集処理など）が施される。
【００３９】
図７は、従来の画像読取装置における第１キャリッジ１６２の光源部１９０付近の拡大構成図であり、図８は、その光源部１９０の斜視図である。
図に示すように、光源部１９０は、発光素子である複数のＬＥＤ４０１を平板状部材としての回路基板であるＬＥＤアレイ基板１０２上に一列に配置させたＬＥＤアレイ１００を有している。ＬＥＤアレイ基板１０２は、その長手方向が、第１キャリッジ１６２の走行方向に対して直交する方向であって略水平方向に延びるように、すなわち、原稿ＭＳの主走査方向に延びるように配置される。複数のＬＥＤ４０１は、ＬＥＤアレイ基板１０２上に主走査方向に沿って一列に並んで配置されている。ＬＥＤアレイ基板１０２には、各ＬＥＤ４０１に電力を供給するための図示しない配線パターン及び各種回路素子が形成されている。なお、ＬＥＤアレイ基板１０２は設置台１０３に保持・固定されている。
【００４０】
図９は、図６に示したスキャナ部１５０を上から（図６の矢印Ａ方向から）見た際の原稿載置部の平面図である。
この図は最大原稿載置可能サイズがＡ３サイズの場合の図であるが、図中の斜線部はＡ３サイズの原稿ＭＳを表し縦２９７ｍｍ、横４２０ｍｍである。なお、原稿ＭＳは、主走査方向の原稿載置基準であるスケール１１２、副走査方向の原稿載置基準であるスケール１１３に突き当てるように第２コンタクトガラス１５５上に載置される。この場合のＬＥＤアレイ基板１０２の長手幅は２９７ｍｍ＋αであり、これは原稿載置部の主走査方向の最大載置可能サイズに余裕分αをプラスしたものである。
【００４１】
次に、本実施形態の特徴部分である画像照明装置としての光源部１９０の構成について説明する。
従来の画像読取装置のように、一つのＬＥＤアレイ基板１０２上に複数のＬＥＤ４０１を上記主走査方向に設置してＬＥＤアレイ１００とした場合、そのＬＥＤアレイ１００のＬＥＤアレイ基板１０２上に配置したＬＥＤ４０１が一個故障した際に、ＬＥＤアレイ１００ごと、つまり、故障していないＬＥＤ４０１も含めてすべてのＬＥＤ４０１を取り替える必要がある。
【００４２】
そこで、本実施形態においては、図１０に示したＬＥＤ４０１の搭載ベースとなるＬＥＤアレイ基板４０２にＬＥＤ４０１を５個搭載した光照射体であるＬＥＤアレイ４００を複数個用意し、図１１に示すように設置台４０３上にそれらＬＥＤアレイ４００を主走査方向に５個配列している。なお、図１１に示すものは、第２コンタクトガラス１５５上への載置可能原稿サイズがＡ３サイズの場合を示したものであるが、この場合のＬＥＤアレイ４００ａの端部からＬＥＤアレイ４００ｅの端部までの幅は約３２０ｍｍとなっている。なお、以下の説明では、５個のＬＥＤアレイの違いを区分するための符号ａ、ｂ、ｃ、ｄ、ｅは省略する。
【００４３】
各ＬＥＤアレイ基板４０２には、それぞれ、給電を受ける被給電端子を備えた被保持部としてのコネクタ部４０４が設けられている。各コネクタ部４０４が、図１２に示すように、設置台４０３上に固定された共通給電基板４０５上の対応する保持ソケット４０６に対して図中矢印Ｂ方向から挿入されると、各ＬＥＤアレイ４００は共通給電基板４０５に対して着脱可能に保持される。なお、共通給電基板４０５にはネジ穴４０８ｂが設けられていて、ネジにより設置台４０３に対して着脱可能に保持・固定されている。また、ＬＥＤアレイ基板４０２にはネジ穴４０８ａが空いており、ネジによってＬＥＤアレイ４００を設置台４０３に対して着脱可能に保持・固定している。このような構成により、ドライバー工具を用いて設置台４０３に対するＬＥＤアレイ４００の拘束を解き、かつ、そのＬＥＤアレイ４００のコネクタ部４０４を共通給電基板４０５の保持ソケット４０６から引き抜くという作業を行うだけで、簡単にＬＥＤアレイ４００を設置台４０３から着脱することができる。よって、ＬＥＤアレイ４００交換作業の作業効率が向上する。
【００４４】
ここで、本実施形態の共通給電基板４０５は、複写機本体側に設けられた電源４１０から伝送ライン４１１を介して電力供給を受けるための受電部４０９を備えている。この受電部４０９から各保持ソケット４０６までは個別の給電パターン４１２が配線されている。また、各ＬＥＤアレイ４００のコネクタ部４０４には、給電を受ける被給電端子としての電極端子４１４が設けられており、各保持ソケット４０６には、これに装着されるＬＥＤアレイ４００のコネクタ部４０４に備わった電極端子４１４に対応する箇所に、給電端子としての図示しない電極端子が設けられている。よって、各ＬＥＤアレイ４００に対しては、それぞれ個別に給電可能となっている。そのため、各ＬＥＤアレイ４００は各々独立して点灯可能である。なお、点灯装置、電源（１００Ｖから２４Ｖへの変換を含む）はごく一般的なものであるため図示していない。
【００４５】
なお、ＬＥＤアレイ基板４０２上には図示されていないが、コネクタ部４０４から電源供給を行うための配線パターンが引かれたり、抵抗などの周辺回路素子が配置されている。また、特に断りがない場合は、各ＬＥＤアレイ４００に供給される電流の電流値は同じものとするが、言うまでもなく、各ＬＥＤ４００間で上記電流値を異ならせても構わない。
【００４６】
以上のように、本実施形態においては、上述したような構成とすることによって、例えば、図１１に点線で囲んで示したＬＥＤアレイ４００ｂの図中左から２番目のＬＥＤ４０１が故障などにより点灯しなくなったとしても、ＬＥＤアレイ４００ｂのみを交換することができる。そのため、従来の画像読取装置のように、１枚の基板上にＬＥＤ４０１がすべて実装されている構成よりも、交換時に無駄になるＬＥＤ４０１の個数を圧倒的に減らすことができる。
しかも、本実施形態においては、上述したように各ＬＥＤアレイ４００に対して個別に給電可能な構成であるが、複写機本体側の電源４１０から光源部１９０までの電力供給用の伝送ライン４１１としては１本で済む。すなわち、複写機本体側の電源４１０から光源部１９０までの伝送ラインとして、各ＬＥＤアレイ４００にそれぞれ対応する複数の伝送ラインを束ねたハーネスを用いなくても、各ＬＥＤアレイ４００に対して個別給電可能な構成を実現できる。本実施形態によれば、ハーネスに比べて柔軟性のある伝送ラインを使用できる結果、ハーネスを用いる場合に比べて、第１キャリッジ１６２の駆動負荷を減らすことができるというメリットがある。
【００４７】
なお、本実施形態では設置台４０３上に５個のＬＥＤアレイ４００を配置しているが、その数は４個から６個が望ましい。ＬＥＤアレイ４００の個数を多し過ぎると、共通給電基板４０５上の保持ソケット４０６の数が増えるためコスト高となってしまう。また、ＬＥＤアレイ４００の個数が少なすぎると、１個のＬＥＤ４０１が故障したときに一緒に交換されるＬＥＤの数が増え、無駄に交換されるＬＥＤ４０１の数を抑える効果が少なくなる。
【００４８】
一方、本実施形態のように、第２コンタクトガラス１５５上への載置可能原稿サイズがＡ３サイズまで可能な複写機の場合、ＬＥＤアレイ４００の数が４個以上で、ＬＥＤアレイ基板４０２上に設置するＬＥＤ４０１の数とＬＥＤアレイ基板４０２のサイズとが同一であれば、ＬＥＤ４０１またはＬＥＤアレイ４００の急な故障や交換品の在庫がないときでも応急処置をすることができる。例えば、図１１のＬＥＤアレイ４００ｂ上に設置したＬＥＤ４０１の１個だけが故障し点灯しなくなった場合、ＬＥＤアレイ４００ｂと、すべてのＬＥＤ４０１が正常なＬＥＤアレイ４００ｅとの設置台４０３に対する配置位置を変えることにより、Ａ３縦（２９７ｍｍ）よりも若干幅が小さいＢ４（２５７ｍｍ）幅や、少なくともＡ４横（幅２１０ｍｍ）の読み取り範囲におけるＬＥＤ４０１はすべて正常に点灯するので、正常な読み取りを行うことができる。よって、ダウンタイムを大幅に低減することができる。
【００４９】
また、ＬＥＤ４０１は一般に製造時のばらつきにより発光輝度にばらつきを持っている。それを規定するのが発光輝度のランク分けである。本実施形態においては、ＬＥＤアレイ４００のＬＥＤアレイ基板４０２上に設けた５個のＬＥＤ４０１の発光ランクをすべて同一のものとし、且つ、図１１に示すすべてのＬＥＤアレイ４００ａ，４００ｂ，４００ｃ，４００ｄ，４００ｅにおいてもＬＥＤ４０１の発光ランクを同一ランクとしている。これにより、上記応急処置を行ったとしても、常に同じ品質で画像の読み取りを行うことができる。
【００５０】
また、本実施形態においては、図１１に示すようにＬＥＤアレイ４００ａとＬＥＤアレイ４００ｂとの間、ＬＥＤアレイ４００ｂとＬＥＤアレイ４００ｃとの間、ＬＥＤアレイ４００ｃとＬＥＤアレイ４００ｄとの間、及び、ＬＥＤアレイ４００ｄとＬＥＤアレイ４００ｅとの間のそれぞれに隙間ｔを設けている。近年の生産性（複写枚数など）の向上によりＬＥＤアレイ４００は、より高い照度が必要とされている。ＬＥＤアレイ４００の照度を高くするためには、ＬＥＤ４０１に大きな電流を流すことや、ＬＥＤアレイ４００上のＬＥＤ４０１の集積密度を高くするといった対応がとられ、結果、照度は高くなるもののＬＥＤ４０１の発熱量が増え、ＬＥＤ４０１及びＬＥＤアレイ基板４０２の温度が上昇する。その温度上昇により物理的な現象としてＬＥＤアレイ基板４０２は少なからず膨張する。仮に、隣り合うＬＥＤアレイ４００間に隙間ｔがない場合では、隣り合うＬＥＤアレイ基板４０２同士が熱膨張により接触し、ＬＥＤアレイ基板４０２にストレスが加わり変形してしまう。このように、ＬＥＤアレイ基板４０２が変形すると、正確に位置決めされていた各ＬＥＤアレイ４００間の位置関係が崩れることになる。そのため、照度リップルの悪化や、繰り返しの温度変化による配線パターン疲労切断による故障が発生してしまう。よって、本実施形態のように、隣り合うＬＥＤアレイ４００間に隙間ｔを設けることで、熱膨張による隣り合うＬＥＤアレイ基板４０２の接触を防ぐことができるので、ＬＥＤアレイ基板４０２が変形することが無く、温度変動の少ない良好な照度リップルを確保できたり、配線パターン疲労切断による故障を抑制することができる。
【００５１】
また、図１３に示すように、ＬＥＤアレイ４００上での隣り合うＬＥＤ４０１の配置間隔をＰとし、共通給電基板４０５上で隣り合う保持ソケット４０６の配置間隔をＲとし、各ＬＥＤアレイ４００に設けられるＬＥＤの数をｎ個（本実施形態ではｎ＝５）としたとき、Ｒ＝（ｎ＋１）×Ｐとなるように構成されている。このような構成にすると、ＬＥＤアレイ４００ａにおける図中右端のＬＥＤ４０１とＬＥＤアレイ４００ｂにおける図中左端のＬＥＤ４０１との間のように、互いに隣り合うＬＥＤ４００を跨いで隣接する２つのＬＥＤ４０１の間隔Ｑが、各ＬＥＤアレイ４００上において隣り合うＬＥＤ４０１の配置間隔Ｐと等しくなる。したがって、設置台４０３に複数個のＬＥＤアレイ４００を設けても、光源部１９０全体でみれば、すべてのＬＥＤ４０１が等間隔に配置されているので、照度リップルを悪化させることがない。
【００５２】
また、本実施形態では、画像読取以外のときに、第２コンタクトガラス１５５の原稿載置可能領域に第１キャリッジ１６２を移動させ、すべてのＬＥＤ４０１を点灯させる検査モードを有している。なお、この検査モードは、操作部１４０に設けたボタンを押すだけで実行させることができるようにしている。これにより、簡単な操作で上記検査モードを実行することができ、例えばユーザーによって、ＬＥＤ４０１の点灯の目視が可能な原稿載置可能領域に第１キャリッジ１６２を移動し、すべてのＬＥＤ４０１を点灯することによって、ＬＥＤ４０１の故障個所を安易に見つけることができる。つまり、ＬＥＤアレイ４００へのアクセスが可能になるくらいまで、装置本体を分解せずにＬＥＤ４０１の故障箇所を特定することができる。
【００５３】
さらに、上記検査モード時、つまり、上記ＬＥＤ４０１の故障を目視で確認する場合などの画像読取動作以外のときに、第１キャリッジ１６２を上記原稿載置可能領域に移動させる際には、ＬＥＤ４０１の発光出力を通常の画像読取時動作のときよりも、かなり低めにしてＬＥＤ４０１を点灯するように構成しても良い。例えばＬＥＤ４０１の故障をユーザーやサービスマンが目視で確認しようとした際に、ＬＥＤ４０１の発光出力が通常読取時と同様の発光出力であったならば、ＬＥＤ４０１の発光出力が強すぎて、ユーザーやサービスマンの目がくらんだり、目を痛める恐れがある。上記目視によるＬＥＤ４０１の故障確認はＬＥＤ４０１が発光しているか否かの確認ができれば良いので、ＬＥＤ４０１の発光が確認できる程度にほんの軽くＬＥＤ４０１を点灯させるだけで良い。よって、画像読取動作以外のときにＬＥＤ４０１を発光させる際の出力を画像読取動作時よりも小さくすることによって、ＬＥＤ４０１の故障確認などでユーザーやサービスマンの目がくらんだり、目を痛める恐れがあるのを抑制することができる。
【００５４】
以上、本実施形態における画像照明装置は、画像読取対象物である原稿ＭＳに光を照射する光源部１９０と、光源部１９０に電力を伝送する伝送ライン４１１とを備えている。光源部１９０は、少なくとも１個の発光素子であるＬＥＤ４０１をそれぞれ有する互いに別個の複数の光照射体であるＬＥＤアレイ４００と、複数のＬＥＤアレイ４００を着脱可能に保持する共通給電基板４０５とを備えている。そして、この共通給電基板４０５は、伝送ライン４１１から供給される電力を複数のＬＥＤアレイ４００それぞれに供給するための給電端子としての電極端子をこれらのＬＥＤアレイ４００ごとに個別に備えており、各電極端子を介して複数のＬＥＤアレイ４００に対して電力を供給する。これにより、寿命などにより点灯しなくなったＬＥＤ４０１があったとしても、そのＬＥＤ４０１が配置されたＬＥＤアレイ４００のみを交換することができる。よって、必要以上に、まだ使用可能なＬＥＤ４０１が交換されるのを抑制することができる。
しかも、本実施形態においては、複写機本体側の電源４１０から光源部１９０までの電力供給用の伝送ライン４１１は１本で済む。すなわち、複写機本体側の電源４１０から光源部１９０までの伝送ラインとして、各ＬＥＤアレイ４００にそれぞれ対応する複数の伝送ラインを束ねたハーネスを用いなくても、各ＬＥＤアレイ４００に対して個別給電可能な構成を実現できる。よって、本実施形態によれば、ハーネスに比べて柔軟性のある伝送ラインを使用できる結果、ハーネスを用いる場合に比べて、走行体である第１キャリッジ１６２の駆動負荷を減らすことができるというメリットがある。
また、本実施形態において、共通給電基板４０５は、複数のＬＥＤアレイ４００の被保持部であるコネクタ部４０４をそれぞれ保持する複数の保持ソケット４０６を備えており、各ＬＥＤアレイ４００のコネクタ部４０４は、共通給電基板４０５に設けられる電極端子からの給電を受ける被給電端子としての電極端子４１４を備えており、複数の保持ソケット４０６は、これに装着されるＬＥＤアレイ４００のコネクタ部４０４に備わった電極端子４１４に対応する箇所に電極端子を備えている。これにより、共通給電基板４０５上の各保持ソケット４０６に各ＬＥＤアレイ４００のコネクタ部４０４を装着する作業を行うだけで、共通給電基板４０５に対してＬＥＤアレイ４００を保持させることができると同時に、共通給電基板４０５とＬＥＤアレイ４００との電気的接続を完了することができる。よって、作業効率を向上させることができる。
また、本実施形態においては、複数のＬＥＤアレイ４００が２個以上のＬＥＤ４０１をそれぞれ有しており、複数のＬＥＤアレイ４００それぞれに設けられるｎ個（本実施形態ではｎ＝５）のＬＥＤ４０１は、等間隔であってかついずれのＬＥＤアレイ４００も同じ間隔Ｐで配置されており、また、共通給電基板４０５が備える複数の保持ソケット４０６は等間隔に配置されており、その配置間隔Ｒは（ｎ＋１）×Ｐと等しくなるように設定されている。これにより、互いに隣り合うＬＥＤ４００を跨いで隣接する２つのＬＥＤ４０１の間隔Ｑが、各ＬＥＤアレイ４００上において隣り合うＬＥＤ４０１の配置間隔Ｐと等しくなる。したがって、設置台４０３に複数個のＬＥＤアレイ４００を設けても、光源部１９０全体でみれば、すべてのＬＥＤ４０１が等間隔に配置されているので、照度リップルを悪化させることがない。
また、本実施形態によれば、複数のＬＥＤアレイ４００それぞれのＬＥＤアレイ基板４０２の形状寸法が互いに同一であり、かつ、複数のＬＥＤアレイ４００それぞれが有するＬＥＤ４０１の数が互いに同一である。これにより、ＬＥＤ４０１やＬＥＤアレイ４００の急な故障や交換品の在庫がないときでも、応急処置として第２コンタクトガラス１５５の最大載置可能サイズよりも小さいサイズの読み取りが正常に行えるように、各ＬＥＤアレイ４００の配列を変更することができるので、完全に画像読取動作が行えなくならず、新しいＬＥＤアレイ４００への交換作業が終了するまでのマシンのダウンタイムを少なくすることができる。
また、本実施形態によれば、光源部１９０に設けられるすべてのＬＥＤ４０１の発光輝度が、同一または略同一である。これにより、応急処置として第２コンタクトガラス１５５の最大載置可能サイズよりも小さいサイズの読み取りが正常に行えるように、各ＬＥＤアレイ４００の配列を変更した場合でも、発光輝度が均一なので良好な読み取りを行うことができる。
また、本実施形態によれば、隣接するＬＥＤアレイ４００の間に隙間が空いた状態で、複数のＬＥＤアレイ４００が共通給電基板４０５に保持されるように構成している。これにより、熱膨張による隣り合うＬＥＤアレイ４００のＬＥＤアレイ基板４０２の接触を防ぐことができるので、温度変動の少ない良好な照度リップルを確保でき、また、ＬＥＤアレイ基板４０２上の配線パターンが疲労切断されるのを抑制することができる。
また、本実施形態によれば、共通給電基板４０５の受電部４０９には、制御チップが搭載されており、この制御チップにより複数のＬＥＤアレイ４００それぞれに対する電力供給を個別に制御できるようになっている。すなわち、複写機本体側の制御部は、どのＬＥＤアレイ４００を点灯又は消灯させるかについての命令を共通給電基板４０５の制御チップに対して出力することで、各ＬＥＤアレイ４００を個別に点灯制御することができる。これにより、上記応急処置の際などに、故障したＬＥＤ４０１を含むＬＥＤアレイ４００上に設けられた他のＬＥＤ４０１をすべて消すことができるので、無駄にＬＥＤ４０１が点灯されるのを抑制することができ、省エネルギー化が行える。
また、本実施形態に係る複写機は、上述した構成を有する画像照明装置と、原稿ＭＳで反射した反射光を受光して原稿ＭＳを撮像する撮像手段としてのＣＣＤ２２１を備えた画像読取装置としてのスキャナ部１５０を備えている。そして、このスキャナ部１５０は、原稿ＭＳの画像読取面が対向するように原稿ＭＳが載置されるガラス部材としての第２コンタクトガラス１５５と、少なくとも上記画像照明装置を有し、第２コンタクトガラス１５５を挟んで原稿ＭＳとは反対側を第２コンタクトガラス１５５の載置面に沿って移動可能な走行体としての第１キャリッジ１６２と、画像読取動作時以外に第１キャリッジ１６２を第２コンタクトガラス１５５との対向位置に移動させて上記画像照明装置の少なくとも一部のＬＥＤ４０１を点灯させる検査モードを有する制御部とを備えている。これにより、ユーザーによって光源部１９０のＬＥＤ４０１の点灯の目視が可能な上記原稿載置可能領域に第１キャリッジ１６２を移動し、光源部１９０のＬＥＤ４０１を点灯することによって、ＬＥＤ４０１の故障個所を安易に見つけることができる。
また、本実施形態によれば、上記検査モード中のＬＥＤ４０１の発光出力が、画像読取動作時の発光出力よりも低くなるように構成している。このように、画像読取動作以外のときにＬＥＤ４０１を発光させる際の出力を画像読取動作時よりも小さくすることによって、ＬＥＤ４０１の故障確認などでユーザーやサービスマンの目がくらんだり、目を痛める恐れがあるのを抑制することができる。
また、本実施形態によれば、上記検査モードの実行の指示を入力する入力部である操作部１４０を備えている。これにより、上記検査モードを操作部１４０に設けたボタンを押すだけで簡単に上記モードを実行させることができるようにしているので、ＬＥＤ４０１の故障確認など作業効率を向上させることができる。
【図面の簡単な説明】
【００５５】
【図１】実施形態に係る複写機の概略構成図である。
【図２】同複写機における内部構成の一部を拡大して示す部分拡大構成図である。
【図３】同複写機のタンデム部の一部を示す部分拡大図である。
【図４】同複写機のＡＤＦ及びスキャナ部を示す斜視図である。
【図５】同スキャナ部を部分的に示す部分斜視図である。
【図６】同スキャナ部の移動読取部をその側方から示す構成図である。
【図７】複数のＬＥＤを主走査方向にアレイ状に並べて配置した光源部を備えた従来の第１キャリッジの概略断面図である。
【図８】同第１キャリッジの概略斜視図である。
【図９】実施形態に係る複写機のスキャナ部を上から見た際の原稿載置部の平面図である。
【図１０】同スキャナ部が備える光源部に搭載されたＬＥＤアレイの概略構成を示す斜視図である。
【図１１】同スキャナ部が備える光源部の概略構成を示す斜視図である。
【図１２】同ＬＥＤアレイを共通給電基板に対して装着する様子を示す説明図である。
【図１３】同光源部に搭載される各ＬＥＤが等間隔に配置されることを説明するための説明図である。
【図１４】一つの基板上に複数のＬＥＤを主走査方向にアレイ状に並べて配置した従来の光源部の概略構成図である。
【符号の説明】
【００５６】
３Ｋ，３Ｙ，３Ｍ，３Ｃ  プロセスユニット
４Ｋ，４Ｙ，４Ｍ，４Ｃ  感光体
１００，４００ａ〜４００ｅ  ＬＥＤアレイ
１０２，４０２  アレイ基板
１０３，４０３  設置台
１４０  操作部
１５０  スキャナ部
１６２  第１キャリッジ
１９０  光源部
４０１  ＬＥＤ
４０４  コネクタ部
４０５  共通給電基板
４０６  保持ソケット
４０９  受電部
４１０  本体電源
４１１  伝送ライン
４１２  給電パターン
４１４  電極端子
【図１】
2008299195.tif 000003
【図２】
2008299195.tif 000004
【図３】
2008299195.tif 000005
【図４】
2008299195.tif 000006
【図５】
2008299195.tif 000007
【図６】
2008299195.tif 000008
【図７】
2008299195.tif 000009
【図８】
2008299195.tif 000010
【図９】
2008299195.tif 000011
【図１０】
2008299195.tif 000012
【図１１】
2008299195.tif 000013
【図１２】
2008299195.tif 000014
【図１３】
2008299195.tif 000015
【図１４】
2008299195.tif 000016